(57)【特許請求の範囲】
【請求項１】
ウエハを加熱する加熱体と、それを支持する筒状支持体と、これら加熱体と筒状支持体との間に介在する筒状支持リングとからなるウエハ加熱用ヒータであって、筒状支持リングは加熱体に固定して取り付けられており、筒状支持リングは筒状支持体に対して着脱自在に結合されると共に、その結合に伴って筒状支持リングと筒状支持体との間がシール部材によりシールされることを特徴とするウエハ加熱用ヒータ。
【請求項２】
前記着脱自在な結合が、前記加熱体を前記筒状支持体に向けて移動させて前記シール部材を圧縮させた後、その圧縮状態を維持したまま前記加熱体を前記筒状支持体の中心軸を中心にして回動させることにより行われることを特徴とする、請求項１に記載のウエハ加熱用ヒータ。
【発明の詳細な説明】
【技術分野】
【０００１】
本発明は、半導体製造装置において使用されるウエハ加熱用ヒータに関し、特に、該ウエハ加熱用ヒータが設置されるチャンバーのメンテナンス性やクリーニング性に優れたウエハ加熱用ヒータに関する。
【背景技術】
【０００２】
半導体製造装置においては、成膜や洗浄などの処理が施される半導体ウエハの加熱用ヒータとして、例えば特許文献１に記載されているような加熱体と支持体とからなるウエハ加熱用ヒータが既に実用化されている。このウエハ加熱用ヒータはチャンバー内に設置された状態で使用され、加熱体に埋設された抵抗発熱体に給電する電極や熱電対のリード線等が、筒状の支持体の内側を通ってチャンバー外部に引き出されている。この筒状支持体の内側は、気密シールによってチャンバー内雰囲気から隔離されており、これによりチャンバー内で使用される腐食性ガスから上記電極やリード線が保護されている。
【先行技術文献】
【特許文献】
【０００３】
【特許文献１】特公平６−２８２５８号公報
【発明の概要】
【発明が解決しようとする課題】
【０００４】
この特許文献１に記載されているウエハ加熱用ヒータは、例えば図１のようなチャンバー１内に設置されているため、作業性の点において問題になることが多かった。すなわち、チャンバー１内のメンテナンスやクリーニングを行う場合は、チャンバー１の蓋１ａを開けて作業を行うことになるが、その際、ウエハ加熱用ヒータ２がじゃまになって、そのままではチャンバー１内の作業を行いにくいことが多く、場合によってはほとんど作業できないことがあった。そのため、実際にはメンテナンスやクリーニングの度に、チャンバー１の下側に設けられている各種の機器（図示せず）を取り除いた後、ウエハ加熱用ヒータ２を支持体ごと取り外すことが行われていた。
【０００５】
メンテナンス等の作業を開始する前に各種機器を取り除いたりウエハ加熱用ヒータを取り外したりする作業は非常に時間が掛かり、メンテナンス等の作業が完了した後のウエハ加熱用ヒータの取り付けや取り除いた各種機器の復旧にも多大な時間を要していた。そのため、スループットへの影響を考慮すると、簡単にはチャンバーのメンテナンスやクリーニングを行うことができないことが問題になっていた。
【課題を解決するための手段】
【０００６】
本発明は、ウエハ加熱用ヒータの加熱体の取り外しや取り付けを容易にすることで、上記課題を解決した。すなわち、本発明に係るウエハ加熱用ヒータの第１の実施形態は、ウエハを加熱する加熱体と、これを支持する筒状支持体とからなり、加熱体は筒状支持体に対して着脱自在に結合されると共に、その結合に伴って加熱体と筒状支持体との間がシール部材によりシールされることを特徴としている。
【０００７】
また、本発明に係るウエハ加熱用ヒータの第２の実施形態は、ウエハを加熱する加熱体と、それを支持する筒状支持体と、これら加熱体と筒状支持体との間に介在する筒状支持リングとからなり、筒状支持リングは加熱体に固定して取り付けられており、筒状支持リングは筒状支持体に対して着脱自在に結合されると共に、その結合に伴って筒状支持リングと筒状支持体との間がシール部材によりシールされることを特徴としている。
【発明の効果】
【０００８】
本発明によれば、ウエハ加熱用ヒータが設置されるチャンバーをメンテナンス又はクリーニングする際、加熱体を支持体から取り外してチャンバー内から取り出したり、加熱体を支持体に取り付けたりする作業が極めて簡単になる。よって、従来に比べてメンテナンスやクリーニングに掛かる時間及び手間を大幅に削減することが可能になる。
【図面の簡単な説明】
【０００９】
【図１】ウエハ加熱用ヒータが設置されているチャンバー内をメンテナンスする際の様子を示す模式図である。
【図２】本発明に係るウエハ加熱用ヒータの一具体例を示す縦断面図である。
【図３】図２のウエハ加熱用ヒータが有する支持体を示す斜視図である。
【図４】図２のウエハ加熱用ヒータが有する支持体が加熱体と結合するときの状態を示す模式図である。
【図５】本発明に係るウエハ加熱用ヒータの他の具体例を示す縦断面図である。
【発明を実施するための形態】
【００１０】
以下、図２を参照しながら、本発明に係るウエハ加熱用ヒータの一具体例について説明する。この一具体例のウエハ加熱用ヒータは、半導体製造装置のチャンバー（図示せず）内に設置されるものであり、ウエハを加熱する加熱体１０とこれを支持する筒状の支持体１５とからなる。加熱体１０は、略同一径の２枚の円板状基板である上板１１と下板１２とが、第１シール部材１３を挟んで上下に対向した構造を有しており、これら上板１１、下板１２及び第１シール部材１３によって囲まれる空間内に発熱機構１４が設けられている。
【００１１】
上板１１及び下板１２の材質は、それらの使用環境や用途等に応じて適宜選択することが可能であり、例えば、ウエハ上に薄膜を形成するプロセスにウエハ加熱用ヒータを使用するのであれば、腐食性のプロセスガスに対して比較的耐食性の高い窒化アルミニウムを使用するのが好ましい。また、ウエハの洗浄プロセスに使用するのであれば、ウエハの洗浄液に対して耐食性に優れる、炭化ケイ素や炭化ケイ素と例えばシリコンやアルミニウム等の金属との複合体を使用するのが好ましい。
【００１２】
なお、加熱体１０は、上記した２枚の円板状基板で発熱機構を挟み込む構造に限定されるものでなく、ステンレス等の金属や窒化アルミニウム等のセラミックスからなる板状部材の内部に抵抗発熱体を埋設した構造でもよいし、該板状部材の裏面に抵抗発熱体を当接した構造でもよい。また、加熱体１０は、その上面にウエハを直接載置してウエハを加熱するものでもよいし、ウエハと加熱体との間を離間させた状態でウエハを加熱するものでもよい。
【００１３】
第１シール部材１３の形状は平面視で環状であり、対向する上板１１と下板１２の間の周縁部に、全周に亘って圧着されている。これにより、上板１１と下板１２の間の周縁部を気密シールしており、チャンバー内で使用される腐食性ガスや洗浄液等の薬液が周縁部から侵入するのを防いでいる。すなわち、上板１１と下板１２との間に位置する発熱機構１４に薬液等が直接接触するのを防いでいる。第１シール部材１３には、例えばガスケットやＯ−リングを使用することができる。ガスケットの場合は、黒鉛やメタル等を使用するのが好ましい。これらは、数百℃の耐熱性を有しているからである。
【００１４】
発熱機構１４の材質が腐食性物質に対して耐食性を有しない場合は、上記したように、加熱体１０の内部を洗浄薬液や腐食性ガスなどの腐食性物質が浸入しない気密シール構造にし、その空間内に発熱機構１４を設置して腐食性物質から保護するのが望ましいが、発熱機構１４が薬液等に対して耐食性を有する場合は必ずしも完全に気密シールする必要はない。また、発熱機構１４が耐食性を有しておらず且つ気密シールが困難である場合は、ウエハ加熱用ヒータを所定の時間使用する毎に発熱機構１４を交換すれば良い。この場合であっても、発熱機構１４は、ガスケットやＯ−リング等の第１シール部材１３を挟んで対向する上板１１及び下板１２の内側に配置されているだけであるので、発熱機構１４の交換は比較的容易である。
【００１５】
上板１１と下板１２を連結する方法は、上板１１、下板１２、及び第１シール部材１３で囲まれる空間内に腐食性物質が侵入しにくい構造であれば特に限定するものではない。例えば、上板１１もしくは下板１２のいずれかに、ネジを挿通させる複数の貫通孔を周縁部に沿って均等に設ける。そして、もう一方の板に、各貫通孔を挿通させたネジの先端部を螺合させるためのザグリ部を設ける。
【００１６】
これにより、Ｏ−リングなどの第１シール部材１３を挟んで対向する上板１１と下板１２の周縁部を複数のネジを用いて均等に締め付けることができ、よって腐食性物質が上記空間内に流れ込みにくい構造にすることができる。なお、ネジを貫通孔に挿通させてネジ止めした後に、耐食性を有する樹脂等のコーキング材で貫通孔に生じた隙間を埋めてもよい。
【００１７】
上記の気密シール構造により腐食性物質の浸入を効果的に防ぐことができるので、発熱機構１４には公知のものを用いることができる。但し、上板１１及び下板１２の材質に炭化ケイ素又は炭化ケイ素を含む複合体を使用する場合、これら材質は導電性を有することが多いため、上板１１及び下板１２に対して発熱機構１４は電気的な絶縁状態が確保され得る構造にするのが望ましい。
【００１８】
例えば、絶縁性セラミックス中に抵抗発熱体を埋設したものや、シースヒータ又はラバーヒータ等を発熱機構１４に使用することが好ましい。あるいは、発熱体としての金属箔をパターンエッチングし、この金属箔を例えばシリコン樹脂、ポリイミド樹脂、フェノール樹脂、エポキシ樹脂等の耐熱性樹脂に挟み込むか、又は該耐熱性樹脂の内部に埋設したものを発熱機構１４として用いてもよい。特に、金属箔を用いた発熱機構１４は、比較的自由にヒータパターンを設計することができるので、より均熱性に優れたウエハ加熱用ヒータが得られるという点において特に好ましい。
【００１９】
下板１２の下側には、加熱体１０を支持する筒状の支持体１５が設けられている。この支持体１５内には、発熱機構１４の抵抗発熱体（図示せず）に給電するためのリード線１６ａや、ウエハ処理時の加熱体１０の温度を測定するための熱電対等の測温素子１７に接続するリード線１６ｂが収納されている。この支持体１５に対して、上記加熱体１０が着脱自在に結合されると共に、その結合に伴って加熱体１０と支持体１５とが第２シール部材１８によりシールされるようになっている。
【００２０】
具体的に説明すると、下板１２にはその中央部分に、支持体１５の端部を嵌め込むための平面視で円形の貫通孔１２ａが形成されている。この貫通孔１２ａの内周面に、後述する支持体１５の上端部に設けた案内孔１５ｃに係合する柱状の突起部１２ｂが設けられている。なお、下板１２には上記貫通孔１２ａに代えて、支持体１５の端部を嵌め込むための平面視円形の有底のザグリ部を下板１２の下面側の中央部分に設けてもよい。この場合は、当該ザグリ部の例えば底面部分に貫通孔を設け、ここに上記リード線１６ａ、１６ｂを挿通させることになる。
【００２１】
支持体１５の上端部には、外周面側が縮径した小径部１５ａが形成されている。この小径部１５ａは、前述した下板１２の貫通孔１２ａに嵌め込まれるため、上記下板１２の貫通孔１２ａの内径よりも僅かに小さい外径を有している。そして、この小径部１５ａの下部に位置する環状の段差部分１５ｂに、全周に亘ってＯ−リングやガスケット等の環状の第２シール部材１８が装着されている。
【００２２】
この第２シール部材１８は、支持体１５の段差部分１５ｂの全周及び／又は下板１２の下面のうち該段差部分１５ｂに対向する領域の全周に亘って溝を設け、ここに嵌め込んで装着させてもよい。あるいは、かかる嵌め込み用溝を設けずに、平坦な段差部分１５ｂと平坦な下板１２の下面との間で挟み込むだけでもよい。
【００２３】
図３に示すように、支持体１５の小径部１５ａには、支持体１５の中心軸に平行な垂直長孔とこれに直交する水平長孔とによって略Ｌ字状に切り欠かれた案内孔１５ｃが形成されている。この案内孔１５ｃの垂直長孔及び水平長孔は、それぞれ前述した突起部１２ｂが摺動できる幅を有しており、且つ垂直長孔の上部は開放されている。これにより、上記下板１２の貫通孔１２ａを支持体１５の小径部１５ａに嵌合させるときの支持体１５に対する加熱体１０の動きは、案内孔１５ｃに沿ってガイドされる突起部１２ｂの動きに制限される。
【００２４】
すなわち、加熱体１０を支持体１５に取り付けるときは、先ず突起部１２ｂを案内孔１５ｃの垂直長孔に上方から係合させるため、加熱体１０における突起部１２ｂの角度位置と支持体１５における案内孔１５ｃの角度位置とを一致させた状態で加熱体１０の下板１２の貫通孔１２ａに支持体１５の小径部１５ａを差し込む。これにより突起部１２ｂが案内孔１５ｃの垂直長孔にガイドされるので、そのまま突起部１２ｂが案内孔１５ｃの水平長孔に到達するまで加熱体１０を支持体１５の中止軸方向に押し下げる。
【００２５】
突起部１２ｂが案内孔１５ｃの水平長孔に到達すると、支持体１５の段差部分１５ｂと下板１２の下面との間で第２シール部材１８が圧縮せしめられる。続いて、案内孔１５ｃの水平長孔が延在する方向に加熱体１０を回動させる。ここで、水平長孔は小径部１５ａにおいて水平方向に延在しているので、第２シール部材１８に対して一定の圧縮状態を維持したまま、加熱体１０を支持体１５の中心軸を中心にして回動させることができる。よって、支持体１５の内側を気密にシールすると共に加熱体１０を支持体１５に結合することができる。
【００２６】
なお、加熱体１０が支持体１５に結合されたときは、図４に示すように、段差部分１５ｂから案内孔１５ｃの水平長孔までの距離をＬ１、下板１２の下面から突起部１２ｂの下面までの距離をＬ２をしたとき、Ｌ１−Ｌ２に該当する距離Ｌ３の隙間部分に第２シール部材１８が装着されていることになる。従って、適切な気密シールを行うためには、Ｌ１＞Ｌ２であって且つ距離Ｌ３で第２シール部材１８が適度に押圧されることが必要となる。
【００２７】
このように、支持体１５に対して加熱体１０を結合させると、その結合に伴って加熱体１０と支持体１５とを第２シール部材１８によってシールすることができるので、メンテナンス等のために分解したウエハ加熱用ヒータを極めて簡単に組み立てることができる。また、突起部１２ｂの案内孔１５ｃによるガイドに従って加熱体１０を動かすだけで、一定の押圧力で第２シール部材１８を圧縮することができるので、メンテナンス等による加熱体１０の分解及び組み立てを数多く繰り返しても、常に安定した気密シール状態を確保することができる。
【００２８】
支持体１５から加熱体１０を取り外すときは、突起部１２ｂが案内孔１５ｃに対して上記取り付け時とは逆の行程をたどるように加熱体１０を動かせばよい。すなわち、先ず加熱体１０を支持体１５の中心軸を中心にして上記取り付け時とは反対方向に回動させる。そして、突起部１２ｂが案内孔１５ｃの垂直長孔に到達すると、支持体１５の中心軸方向に沿って加熱体１０を持ち上げることで、支持体１５から取り外すことができる。なお、突起部１２ｂが案内孔１５ｃの垂直長孔に到達すると、圧着されている第２シール部材１８の圧縮状態が開放されるので、加熱体１０には支持体１５から離れようとする上向きの力が働く。よって、加熱体１０を容易に引き抜くことができる。
【００２９】
次に、図５を参照しながら、本発明のウエハ加熱用ヒータの他の具体例について説明する。この他の具体例のウエハ加熱用ヒータは、ウエハを加熱する加熱体２０と、これを支持する筒状の支持体２５と、これら加熱体２０と支持体２５との間に介在する筒状支持リング３１とから構成されている。そして、筒状支持リング３１は加熱体２０に固定して取り付けられており、筒状支持リング３１は支持体２５に対して着脱自在に結合されると共に、その結合に伴って筒状支持リング３１と支持体２５との間が第２シール部材２８によりシールされる。
【００３０】
加熱体２０は、第１シール部材２３を挟んで対向する上板２１と下板２２との間に発熱機構２４を設けた構造になっており、下板２２の下部に筒状支持リング３１が取り付けられている点を除いて上記した図２に示すウエハ加熱用ヒータの構造と同様である。筒状支持リング３１の下板２２への取り付けは、ネジ止め等の一般的な結合手段を用いることができる。例えばネジ止めで結合する場合は、筒状支持リング３１に上下方向に貫通する貫通孔を形成し、この貫通孔を挿通するネジを螺合させるためのザグリ部を下板２２の下面側に設ける。これにより、筒状支持リング３１を加熱体２０にネジ止めで固定することができる。
【００３１】
なお、筒状支持リング３１の材質は、ウエハ加熱用ヒータを使用する環境等に応じて適宜選択することができるが、加熱体２０の下板２２と同じ材質を使用するのがより好ましい。また、図５に示すように、加熱体２０の下板２２の下面と筒状支持リング３１の上面との間にＯ−リングやガスケット等の第３シール部材３２を装着することによって、筒状の支持体２５の内側を腐食性物質から防ぐことができる。
【００３２】
筒状支持リング３１を下板２２にネジ止めするためのネジが耐食性に乏しく、チャンバー内の環境で使用することができない場合は、筒状支持リング３１の外周面を螺刻し、これに螺合するような有底のザグリ部又は貫通孔を加熱体２０の下板２２に形成してもよい。有底のザグリ部を設ける場合は、その底部に貫通孔を形成して、そこに発熱機構２４や測温素子２７用のリード線２６ａ、２６ｂを挿通させることになる。
【００３３】
更に、筒状支持リング３１の外周面に大径部と小径部を形成し、小径部の外周面に上記した下板２２の有底のザグリ部又は貫通孔に螺合する雄ネジを螺刻すると共に、これら大径部と小径部の段差部分にＯ−リングやガスケット等のシール部材を装着してもよい。これにより、上記段差部分と下板２２の下面との間が気密シールできるので、支持体２５の内側を腐食性物質から保護することができる。
【００３４】
この筒状支持リング３１の下部に筒状の支持体２５が設けられており、加熱体２０を間接的に支持している。この支持体２５に、筒状支持リング３１が着脱自在に結合しており、この結合に伴って筒状支持リング３１と支持体２５との間がシール部材によりシールされる。具体的に説明すると、筒状支持リング３１の中心部には、後述する支持体２５の小径部２５ａが嵌め込まれる貫通孔３１ａが設けられており、その内周面に柱状の突起部３１ｂが設けられている。
【００３５】
そして、支持体２５の上端部には、前述した図２〜４の支持体１５と同様に外周面側が縮径した小径部２５ａが設けられており、ここに支持体２５の中心軸に平行な垂直長孔とこれに直交する水平長孔とによって略Ｌ字状に切り欠かれた案内孔２５ｃが形成されている。更に、この小径部２５ａの下端の外側に形成された環状の段差部分２５ｂに、全周に亘ってＯ−リングやガスケット等の環状の第２シール部材２８が装着されている。
【００３６】
これにより、加熱体２０を筒状支持リング３１を介して支持体２５に取り付けるときは、先ず突起部３１ｂを案内孔２５ｃの垂直長孔に上方から係合させるため、筒状支持リング３１における突起部３１ｂの角度位置と支持体２５における案内孔２５ｃの角度位置とを一致させた状態で筒状支持リング３１の貫通孔３１ａに支持体２５の小径部２５ａを差し込む。これにより突起部３１ｂが案内孔２５ｃの垂直長孔にガイドされるので、そのまま突起部３１ｂが案内孔２５ｃの水平長孔に到達するまで加熱体２０を支持体２５の中止軸方向に押し下げる。これに伴い、支持体２５の段差部分２５ｂと筒状支持リング３１の下面との間で第２シール部材２８が圧縮せしめられる。
【００３７】
そして、この一定の圧縮状態を維持したまま、加熱体２０を支持体２５の中心軸を中心にして回動させる。これにより、支持体２５の内側を気密シールすると共に、筒状支持リング３１を介して加熱体２０を支持体２５に結合することができる。一方、支持体２５から加熱体２０及びこれに固定して結合されている筒状支持リング３１を取り外すときは、突起部３１ｂが案内孔２５ｃに対して上記取り付け時とは逆の行程をたどるように加熱体２０を動かせばよい。すなわち、先ず加熱体２０を支持体２５の中心軸を中心にして上記取り付け時とは反対方向に回動させる。そして、突起部３１ｂが案内孔２５ｃの垂直長孔に到達したときに、支持体２５の中心軸方向に沿って加熱体２０を支持体２５から引き抜くことができる。
【００３８】
以上説明したように、本発明のウエハ加熱用ヒータは極めて容易に加熱体を着脱できるため、腐食性物質を使用するチャンバー内に搭載して使用することによって、メンテナンスやクリーニングの際の作業性を著しく向上させることができる。特に、腐食性の液体を使用する洗浄プロセスは、腐食性ガスを使用する他のプロセスに比べてメンテナンスの頻度が多いので、本発明はウエハ洗浄用の場合に特に優れた効果が得られる。
【００３９】
なお、上記の構造においては、下板や筒状支持リングの内周面に１つの突起部を設け、これに係合する１つの案内孔を支持体の小径部に設ける場合について説明したが、突起部及び案内孔の数はこれに限定するものではなく、２つ以上であってもよい。また、突起部に係合する略Ｌ字形状の案内孔に代えて、略Ｌ字形状の案内溝を形成してもよい。更に、下板や筒状支持リングの内周面にかかる略Ｌ字形状の案内溝を形成し、支持体の小径部に該案内溝に係合する突起部を形成してもよい。
【００４０】
以上、本発明のウエハ加熱用ヒータについて、具体例を挙げて説明したが、本発明は係る具体例に限定されるものではなく、本発明の主旨から逸脱しない範囲の種々の態様で実施することができる。すなわち、本発明の技術的範囲は、特許請求の範囲およびその均等物に及ぶものである。
【実施例】
【００４１】
［実施例１］
上板及び下板として、直径３００ｍｍ、厚み１０ｍｍの炭化ケイ素の基板を２枚用意した。そして、これら基板の片面側の外縁部に、Ｏ−リングを装着できる平面視で円形の溝を形成した。更に、上板の下面側に、測温素子を装着できるザグリ部を形成し、このザグリ部に測温素子を耐熱性樹脂で取り付けた。一方、下板の中心部には、図２に示すような筒状の支持体を装着するための直径５０ｍｍの貫通孔を設けた。その際、貫通孔の内周面において互いに対向する２箇所に、各々四角柱状の突起部を機械加工により形成した。
【００４２】
次に、発熱体として、ステンレス箔を所定の回路パターンにエッチングし、その上下面をポリイミドフィルムで圧着したものを用意した。この発熱体において、給電用のリード線が接続される部分は、ステンレス箔を露出させた。
【００４３】
上板及び下板の材質と同じ炭化ケイ素を用いて筒状の支持体を作製し、その上端部に、上記下板の貫通孔に嵌合可能な外径を有する小径部を形成した。更に、この小径部において上記突起部に対応する２箇所に、各々Ｌ字形状の案内孔を形成した。なお、小径部を上記下板の貫通孔に差し込んだとき、下板の下面と小径部の段差部分との間に装着したＯ−リングが適切に圧縮されることを考慮して、案内孔の水平長孔の位置を定めた。
【００４４】
上記の加熱体及び支持体を図２のように組み立てて、ウエハ加熱用ヒータを作製した。そして、このウエハ加熱用ヒータをチャンバー内に設置し、ウエハの洗浄を実施した。ウエハの洗浄用薬液には、過酸化水素、アンモニア、及びフッ酸を使用した。２０００枚のウエハの洗浄処理を終えた後、チャンバーのメンテナンスを実施するためにチャンバーの蓋を開けた。加熱体の周縁部をつかんで回動させると容易に支持体から取り外すことができた。取り出した加熱体の内部を分解して確認したところ、腐食性物質の侵入は見られなかった。
【００４５】
［実施例２］
上板及び下板として、直径３００ｍｍ、厚み１０ｍｍのＳｉ−ＳｉＣ複合体の基板を２枚用意した。そして、これら基板の片面側の外縁部に、Ｏ−リングを装着できる平面視で円形の溝を形成した。更に、上板の下面側に、測温素子を装着できるザグリ部を形成し、このザグリ部に測温素子を耐熱性樹脂で取り付けた。一方、下板の中心部には、図５に示すような直径５０ｍｍの貫通孔を形成した。更に、下板の下面の該貫通孔の周りに、筒状支持リングを締結するためのネジ止め用のザグリ部と、筒状支持リングとの間でシールするＯ−リング用の溝を形成した。
【００４６】
次に、発熱体として、ステンレス箔を所定の回路パターンにエッチングし、その上下面をポリイミドフィルムで圧着したものを用意した。この発熱体において、給電用のリード線が接続される部分は、ステンレス箔を露出させた。
【００４７】
次に、Ｓｉ−ＳｉＣ複合体からなる外径８０ｍｍ、内径５０ｍｍ、厚み５ｍｍ筒状支持リングを作製し、その内周面において互いに対向する２箇所に、各々四角柱状の突起部を機械加工により形成した。この筒状支持リングには、更に、上面に前述した下板の下面との間でシールするためのＯ−リング用の溝を形成し、下面に筒状支持体との間でシールするためのＯ−リング用の溝を形成した。
【００４８】
次に、筒状支持リングと同じＳｉ−ＳｉＣを用いて筒状の支持体を作製し、その上端部に、上記筒状支持リングに嵌合可能な外径を有する小径部を形成した。更に、この小径部において上記突起部に対応する２箇所に、各々Ｌ字形状の案内孔を形成した。なお、小径部を上記筒状支持リングに差し込んだとき、筒状支持リングの下面と小径部の段差部分との間に装着したＯ−リングが適切に圧縮されることを考慮して、案内孔の水平長孔の位置を定めた。
【００４９】
上記の加熱体、筒状支持リング及び支持体を図５のように組み立てて、ウエハ加熱用ヒータを作製した。そして、このウエハ加熱用ヒータをチャンバー内に設置し、ウエハの洗浄を実施した。ウエハの洗浄用薬液には、過酸化水素、アンモニア、フッ酸を使用した。２０００枚のウエハの洗浄処理を終えた後、チャンバーのメンテナンスを実施するためにチャンバーの蓋を開けた。加熱体の周縁部をつかんで回動させると容易に支持体から加熱体及び筒状支持リングを取り外すことができた。取り出した加熱体の内部を分解して確認したところ、腐食性物質の侵入は見られなかった。
【００５０】
［比較例］
比較のため、筒状の支持体と直径３００ｍｍの直径を有する加熱体とが一体型となったステンレス製のウエハ加熱用ヒータを用いて、上記実施例１と同じ洗浄処理を行った。その結果、ステンレスの腐食が目立った。また、このウエハ加熱用ヒータは、実施例１や実施例２のように簡単に取り外すことができず、チャンバーの下部にある機器類を取り除いた上で、ステンレス製の加熱体を筒状の支持体と共に取り外す必要があった。この作業に３時間程度の時間が掛かり、これを再び装着する際にも３時間以上の時間が掛かった。
【００５１】
［実施例３］
炭化ケイ素に代えてＳｉ−ＳｉＣ複合体を用いた以外は実施例１と同様にして上板及び下板で構成される加熱体と筒状支持体とからなるウエハ加熱用ヒータを作製した。また、Ｓｉ−ＳｉＣ複合体に代えて炭化ケイ素を用いた以外は実施例２と同様にして、上板及び下板で構成される加熱体と筒状支持体と筒状支持リングとからなるウエハ加熱用ヒータを作製した。そして、これらのウエハ加熱用ヒータに対して実施例１、２と同様にしてウエハの洗浄処理を行った。
【００５２】
洗浄完了後に、ウエハ加熱用ヒータが設置されているそれぞれのチャンバーの蓋を開けて加熱体の周縁部をつかんで回動させると、いずれも容易に回転させることができ、筒状支持体からＳｉ−ＳｉＣ複合体製の加熱体、又は炭化ケイ素製の加熱体及び筒状支持リングを取り外すことができた。
【００５３】
［実施例４］
炭化ケイ素からなる上板及び下板に代えて窒化アルミニウムからなる１枚のセラミックス板を使用し、更にこのセラミックス板に発熱体を埋設した以外は実施例１と同様にして加熱体と筒状支持体とからなるウエハ加熱用ヒータを作製した。また、Ｓｉ−ＳｉＣ複合体からなる上板及び下板に代えて窒化アルミニウムからなる１枚のセラミックス板を使用し、更にこのセラミックス板に発熱体を埋設した以外は実施例２と同様にして加熱体と筒状支持リングと筒状支持体とからなるウエハ加熱用ヒータを作製した。なお、これらウエハ加熱用ヒータにおいて、筒状支持体や筒状支持リングの取り付けの際に装着したシール部材には、ガスケットを使用した。
【００５４】
これらウエハ加熱用ヒータを各々チャンバー内に設置し、加熱体を５００℃に加熱して、ウエハ上に薄膜を形成した。そして、フッ素系の腐食性ガスを用いて、ウエハ保持面のクリーニングを行った。クリーニング完了後、上記実施例１〜３と同様にチャンバーの蓋を開けて加熱体の周縁部をつかんで回動させると、いずれのウエハ加熱用ヒータも、加熱体又は加熱体と筒状支持リングとの一体物を容易に取り出すことができた。また、両方とも加熱体を構成する窒化アルミニウムの表面がほとんど変化しておらず、耐食性に優れていることが分かった。
【符号の説明】
【００５５】
１０、２０      加熱体
１１、２１      上板
１２、２２      下板
１２ａ          貫通孔
１２ｂ          突起部
１３、２３      第１シール部材
１４、２４      発熱機構
１５、２５      支持体
１５ａ、２５ａ  小径部
１５ｂ、２５ｂ  段差部分
１５ｃ、２５ｃ  案内孔
１６ａ、２６ａ  リード線
１６ｂ、２６ｂ  リード線
１７、２７      測温素子
１８、２８      第２シール部材
３１            筒状支持リング
３１ａ          貫通孔
３１ｂ          突起部
３２            第３シール部材
【図１】
0005861563.tif 000002
【図２】
0005861563.tif 000003
【図３】
0005861563.tif 000004
【図４】
0005861563.tif 000005
【図５】
0005861563.tif 000006